(57)【要約】【課題】水系の真空洗浄並びに除菌、乾燥、冷却迄の一連の処理が同一の装置で効率良く、かつ簡便に行え、しかも、低コストで得ることができる真空洗浄・除菌装置を提供する。【解決手段】洗浄液５が貯留されるとともに被洗浄物３を収容する貯槽部６ａと、真空容器１内に開口する所定の内部空間７ｋを有し洗浄液５に超音波振動を与える超音波振動子ユニット７とを、真空状態を取り得る圧力容器１内に備え、貯槽部６ａ内で洗浄液５をヒータ６ｉにて加熱し、温度の上昇した洗浄液５で被洗浄物３を真空洗浄、ならびに除菌し、洗浄液５を貯槽部６ａより排出後、さらに真空乾燥させることを特徴とする真空超音波洗浄除菌装置。【選択図】      図１
2005143513.tif 000002
【特許請求の範囲】
【請求項１】
被洗浄物を収容する密閉可能な圧力容器を備え、真空下におかれた洗浄液に超音波振動を与え、洗浄液に浸漬した被洗浄物を真空洗浄、ならびに除菌する装置において、前記洗浄液が貯留されるとともに前記被洗浄物を収容する貯槽部と、前記真空容器内に開口する所定の内部空間を有し前記洗浄液に超音波振動を与える振動体とを、真空状態を取り得る圧力容器内に備え、前記貯槽部内で前記洗浄液をヒータ等の熱源にて加熱し、温度の上昇した前記洗浄液で前記被洗浄物を真空洗浄、ならびに除菌し、前記洗浄液を前記貯槽部より排出後、さらに真空乾燥させることを特徴とする真空超音波洗浄除菌装置。
【発明の詳細な説明】
【０００１】
【発明の属する技術分野】
本発明は、病院や医療機関、検査機関等で使用された使用済みの医療器材を効率よく洗浄し除菌処理するための洗浄・除菌装置に関する。
【０００２】
【従来の技術】
病院や医療機関、検査機関等では病棟や外来、手術室や分娩室などで使用された使用済みの医療器材（ハサミ、鉗子、ピンセットなど）は、繰り返し使用を図るのが通例である。したがって、これらの物品については、次回使用するには二次感染を防ぐために消毒あるいは滅菌するのが必須で、これらの汚染された医療器材を取り扱う従事者に対する安全性を充分に確保する必要がある。なぜなら、滅菌が不完全であった場合には交差感染（医療器材に付着している細菌やウィルスを他の人に感染させてしまうこと）に繋がるからである。
【０００３】
これらの使用済みの医療器材には汚染物（血液、粘液、分泌液、組織片、排泄物、薬剤、無機物等）が付着しており、これらには多数の病原微生物（細菌、ウイルス）が潜んでいる。そのため、消毒・滅菌を行う前に「目に見える汚れ」あるいは「目に見えない汚れ」は完全に除去する必要が有るとされており、血液・蛋白等の有機汚染物が残ったままで消毒・滅菌を行っても滅菌効果は期待できないと言われている。
【０００４】
公的機関の指針を見ると、たとえば、アメリカ疾病防疫センター(CDC)「院内感染防止のためのガイドライン」 では、消毒の前処置として『血液や蛋白などの有機物は多数の微生物を含んでいるので消毒処置の前に完全に除去しなければならない。また、それらの有機物は化学殺菌物質を非活性化したり、微生物を消毒や滅菌処置より保護することがある』 とされている。
【０００５】
【発明が解決しようとする課題】
しかしながら、このような要求を満足するには、洗浄装置並びに除菌装置を併設しなければならず、これらは個別に装備するのが通例であったが、それには費用面で高価につき、また、これらを配設するためのスペースも個々に必要となり、不経済である。
【０００６】
ところで、滅菌から洗浄迄、各段階は以下のように定義されている。
１.滅菌：物質中のすべての微生物を殺滅または除去すること。
２.消毒：人に対して病原性を有する微生物を殺滅すること。
３.殺菌：微生物を殺滅することを意味し、滅菌・消毒を実現するための手段。
４.制菌：微生物の生活や繁殖活動を制御阻止させること。
５.除菌：手術や食品を取り扱う環境(水、空気)に存在する微生物を除去し  目的とする安全度を確保する方法。
６.洗浄：微生物を含む汚染要因物質で汚染された物品の表面を温水や防腐剤、洗剤で化学的に溶解し、また物理的に洗って除去すること。
【０００７】
洗浄後の後処理装置として、種々の滅菌装置があるが、代表的なものとしてオートクレーブ装置（高圧蒸気滅菌装置）がある。これは蒸気滅菌するための医療器材を収容する密閉容器並びに、蒸気の源となる水を収容するタンクと、この水を加熱するためのヒータなどで構成されている。
【０００８】
通常の単純な煮沸消毒などでは完全に殺菌するのが困難な耐熱性菌（結核菌、芽胞菌など）にも、このオートクレーブは有効であり、広く用いられている。たとえば、真空容器に、医療器材を入れて、密閉し、真空容器を加圧（約１〜２気圧以下）及び加熱（約１３０〜１３５℃程度）することにより、医療器材に付着している細菌はほぼ確実に死滅させることが可能である。
【０００９】
日本工業規格（JIS）医療用小型高圧蒸気滅菌器JIST7324 によると、滅菌温度と滅菌時間として、１２１℃で２０分以上、１２６℃で１５分以上、１３２℃で５分以上、１３５℃で３分以上と定義されており、除菌レベルでは９３℃で１０分以上とされている。
【００１０】
除菌の定義は、上記の通り、手術や食品を取り扱う環境(水、空気)に存在する微生物を除去し目的とする安全度を確保する方法とされている。したがって、除菌はあくまでも除菌レベルであり、滅菌処理レベルが要求される場合はただの前処理にしか過ぎないことになる。しかし、除菌後は素手で触れるようになるあるレベルの安全度に達しているという点で、単なる洗浄とは大きく異なる。ただし、実際の医療現場では、素手では除菌後の医療器材に直接触れることは絶対になく、何らかの保護具の装着はなされているのが通例である。
【００１１】
なぜなら、これら医療器材の多くは先端が鋭利になっていたり皮膚や骨を切開したりする目的のために刃先を構成しているものであり、取り扱い作業中に誤って手や身体を傷つけたりする外傷事故も多く発生しているからである。そのため、廃棄する物品などは廃棄物処理業者からの密閉性のあるコンテナに直接投入し適量溜まったら、そのコンテナを密閉しそのまま排出する安全に考慮したシステムも考え出されている。その場合でも、再利用対象の医療器材については、通常は人手により仕分けられた後に洗浄装置などで処理されている。
【００１２】
感染症対策という観点から、通常行われている被洗浄物である医療器材の取り扱いを洗浄工程から滅菌工程迄で検証してみると、▲１▼洗浄装置へのセット時、▲２▼洗浄完了後の取り出し時、▲３▼滅菌装置へのセット時、などが数えられるが、これらの▲１▼、▲２▼、▲３▼が特に、取り扱いに注意を必要とする危険性を孕んでいるシーンである。
【００１３】
したがって、これら洗浄装置並びに滅菌装置あるいは除菌装置と医療器材が使用された場所とが離れていれば、それらの装置まで医療器材を回収して搬送する際、器材に付着している菌の拡散という面にも細心の注意が必要となる。理想的には、各現場或いは部屋毎にこれらが設備されていることが望ましいが、予算、設置スペースをはじめとした課題が多く、導入されている実態としては集中処理の形態が大部分である。
【００１４】
そこで、洗浄装置、除菌装置の２台の装置を洗浄・除菌装置という１つのシステムにまとめることで、医療器材を取り扱う従事者が接する危険性を孕むシーンは、上記の▲１▼〜▲３▼の３つのシーンのうち、▲１▼の洗浄装置へのセット時のみとなり、その回数も１/３に減少するため、大幅な作業負荷の軽減となる。また、数値では表し難いが、安全面での改善も図られ、単純に見積もって３倍にカウント出来る。
【００１５】
従来の方式で洗浄装置による洗浄が実施されている理由は、あくまでも、汚れの残ったままで滅菌しても汚れに付着している雑菌までは除去できないので、まず汚れを除去するために充分に洗浄することが必要であるからであると位置付けられているにすぎない。
【００１６】
本考案はこの点に着目し、水系の真空洗浄並びに除菌、乾燥、冷却迄の一連の処理が同一の装置で効率良く、かつ簡便に行え、しかも、低コストで得ることができる真空洗浄・除菌装置を提供することを目的とする。
【００１７】
【課題を解決するための手段】
上記目的を達成するために本発明の真空超音波洗浄除菌装置は、被洗浄物を収容する密閉可能な圧力容器を備え、真空下におかれた洗浄液に超音波振動を与え、洗浄液に浸漬した被洗浄物を真空洗浄、ならびに除菌する装置において、前記洗浄液が貯留されるとともに前記被洗浄物を収容する貯槽部と、前記真空容器内に開口する所定の内部空間を有し前記洗浄液に超音波振動を与える振動体とを、真空状態を取り得る圧力容器内に備え、前記貯槽部内で前記洗浄液をヒータ等の熱源にて加熱し、温度の上昇した前記洗浄液で前記被洗浄物を真空洗浄、ならびに除菌し、前記洗浄液を前記貯槽部より排出後、さらに真空乾燥させることを特徴としている。
【００１８】
【発明の実施の形態】
以下に、本発明の実施形態について図面を参照しながら説明する。図１は洗浄・除菌装置全体の構成図を示している。なお、説明は主要部にとどめ、周辺の補器類についての説明は省略している。
【００１９】
まず、本装置全体の要部構成を以下に説明する。１は真空容器、２は真空容器の蓋、３は被洗浄物、４は被洗浄物を入れるバスケット、５は洗浄液、６は被洗浄物３を収容する洗浄槽、７は超音波振動子ユニット、８は洗剤を供給する貯留容器である。
【００２０】
真空容器１は、上端が開放した円筒状に形成され、内部に洗浄槽６と超音波振動子ユニット７を配備しており、開放した上端には基軸２ａを中心に回動する蓋２を備えている。つまり、蓋２を回動させて開いた状態で、被洗浄物３の入った網状のバスケット４が真空容器１の内外へ出し入れされ、一方、閉じた状態で真空容器１が密閉されるようになっている。真空容器１の側壁には真空排気口１ａが形成され、真空容器１には真空容器１内の圧力を検出する圧力センサ１ｈ、真空容器１内の内圧が設定値より過大になれば気液分離器１ｇを通じてガスを外部に放出するための安全弁１ｊが設けられている。さらに、真空容器１底部には排水のための開口１ｂが設けられている。
【００２１】
図２は、真空容器１周辺の構成を拡大して示している。洗浄槽６は、底壁６ｂを共用して、洗浄液５を貯留する貯槽部６ａと、貯槽部６ａから溢れた洗浄液５を回収する溢液回収部６ｆとに大別される。貯槽部６ａには、洗浄液５を供給する洗浄液供給口６ｇが側壁に形成され、貯槽部６ａの上方には堰である開口６ｃが形成され、堰である開口６ｃを挟み込む上下一対の液位センサ６ｄが配置されている。ここで、貯槽部６ａに貯留されている洗浄液５は、堰である開口６ｃを超え溢液回収部６ｆに流出する。このとき、液位センサ６ｄによって一定の液位が保たれるため、被洗浄物３を入れるバスケット４が洗浄液５に浸漬されないという不都合は回避される。
【００２２】
また、洗浄槽６は、貯槽部６ａ内の洗浄液５の温度を測定する温度センサ６ｅを備えている。そして、溢液回収部６ｆの底壁には排液のための開口６ｈが形成されている。さらに、補助熱源として貯槽部６ａ底部には、環状のヒータ６ｉが設けられている。
【００２３】
また、液位センサ６ｋは、溢液回収部６ｆでの洗浄液５の回収が円滑に行われず、堰である開口６ｃを超え洗浄槽６から真空容器１底部に流入し超音波振動子ユニット７に達するのを防止するために設けられ、液位が上昇し溢液した場合は警報を発し、洗浄液５の供給を停止可能にしている。なお、洗浄液供給口６ｇは、図１に示すように、洗浄液調温槽１２に連通した給液配管１３で給液可能にせしめている。洗浄液調温槽１２には加熱用熱源１４により調温され、給液ポンプ１５やフィルタ１６や電磁弁１７等が経路に設けられ、給液配管１３を介して、洗浄液供給口６ｇから貯槽部６ａに供給される。
【００２４】
再び図２の説明に戻り、洗剤貯留容器８はフィルタ８ａ、エアー駆動弁８ｂを介して連通配管８ｃで貯槽部６ａに連結され、所定のシーケンスで洗剤の規定量供給或いは、使用の選択要否も可能となっている。
【００２５】
超音波振動子ユニット７は、超音波振動が伝播する振動板７ａと、この振動板の下面に取り付けられ超音波振動を発する複数の振動子７ｂと、これら各振動子７ｂを包囲し振動板７ａの下面に取り付けられたカバー７ｅとから構成されていて、振動板７ａとカバー７ｅとにより囲まれた所定の内部空間７ｋが形成されている。振動板７ａは、各振動子７ｂが取り付けられた中央部７ｃが、周縁部７ｄよりも上面側に１段隆起しており、カバー７ｅはその中央部７ｃ上に取り付けられている。
【００２６】
振動板７ａは、洗浄槽６の底壁に形成された開口を閉塞するように、周縁部７ｄから洗浄槽６の底壁を貫通する貫通穴にボルトを挿通して固定されている。そして、振動子７ｂは、振動板６ａの下面から内部空間７ｋに突出して配置されている。ただし、貯槽部６ａに貯留していた洗浄液が貫通穴を通じて漏洩するおそれがあるので、カバー７ｅが振動板７ａ上の貫通穴よりも中央側で取り付けられている。これにより、仮に、その洗浄液５が貫通穴を通じて漏洩しても、内部空間７ｋ内へ侵入しなければ、振動子７ｂが浸食を受ける危険性は格段に減少する。
【００２７】
また、カバー７ｅの側壁には開口７ｆと、真空容器１内に向けてのみ内部空間７ｋを開放可能にする逆止弁７ｈが連結された排気口７ｉが形成されている。そして、振動板７ａは、振動板７ａの周縁部と、貯槽部６ａの底壁と、これらの間に挟んだパッキンとを貫通する不図示の貫通穴に、ボルトを挿通して締結され、開口７ｆを振動板７ａの中央部７ｃの上面で閉塞している。
【００２８】
なお、電気で駆動される各振動子７ｂの端部には、その電気駆動を司る充電部７ｊが備えられている。仮に、洗浄液５が漏洩等によって内部空間７ｋに存した場合、充電部７ｊが漏電を引き起こす危険性が生じるので、洗浄液５を内部空間７ｋから排除すべく、パージガスを内部空間７ｋに供給するパージガス供給手段を備えていることが好ましい。
【００２９】
図１に示すように、真空容器１の真空排気口１ａは、フィルタ１ｃ、電磁弁１ｄを経路に備えた真空排気配管１ｅの一端に連結され、その真空排気配管１ｅの他端は、真空ポンプ１ｆに連結されている。更に、真空ポンプ１ｆの下流側には気液分離器１ｇが設けられている。この気液分離器１ｇには、液位センサ１ｎ、温度センサ１ｏ、オーバーフロー配管１ｐ、冷却用熱交換器１ｑ用の冷却源１ｒなどを備えている。気液分離器１ｇで使用される液体は、使い始めの当初は系統外から水道水或いは純水などの液体を導入する必要があるが、通常は真空容器１側からの真空排気の際に持ち込まれるので、通常は系統外からの補給の必要はない。本発明ではこのように気液分離器１ｇを通過させることにより、液体バブリング濾過を経て系外に排出するよう考慮している。
【００３０】
真空排気配管１ｅ系の電磁弁１ｄを開くことによって、フィルタ１ｃを経て真空容器１内が減圧されることで洗浄槽６及び超音波振動子ユニット７も減圧下におかれる。 従って、逆止弁７ｈを介して超音波振動子ユニット７の内部空間７ｋも減圧されるようになっている。
【００３１】
超音波振動子ユニット７のカバー７ｅ部の吸気口７ｆは、吸気経路７ｘの一端に接続され、減圧開始から洗浄完了にかけて超音波振動子ユニット７の内部空間７ｋをパージするときと、除菌完了後のベントのときに活用される。吸気経路７ｘには、フィルタ７ｌ、電磁弁７ｍ、絞り弁７ｎ、ベント用電磁弁７ｏ、流量計７ｐ、を備え大気等の空気に接続されている。
【００３２】
このような構成の真空洗浄・除菌装置の動作、及び、その動作中の様子について、以下に説明する。図１に示されるように、被洗浄物３を入れたバスケット４を真空容器１内に備えた貯槽部６ａに収容し、蓋２を閉じる、次に洗浄液調温槽１２に貯留されている加温された洗浄液５を導入し、洗浄液５に完全に浸漬する。次に、真空ポンプ１ｆを作動させるとともに電磁弁１ｄを開くと、真空容器１内の空気が、真空排気口１ａから真空排気配管１ｅを経て真空ポンプ１ｆへ吸引され、真空引きが開始される。この際、超音波振動子ユニット７は、大気である空気が吸気口７ｆから導入されてパージが行われると同時に、排気口７ｉから逆止弁７ｈを介して吸引され真空容器１内と同圧で減圧されていく。
【００３３】
ここで、真空ポンプとしては、往復式、液封式、回転式等の真空ポンプが挙げられるが、本実施形態では、液封式の真空ポンプ１ｆを採用している。すなわち、液封式だと、真空容器１内で気化した洗浄液５が吸入されても、液体を隔てて真空ポンプ回転部と接触するようになっているので、通常のシール方式の真空ポンプ１ｆとは異なり多少の液体混合の吸気があっても不都合がないからである。一方、液封式の真空ポンプ１ｆは、使用真空度が補給液の飽和蒸気圧に達するとキャビテーションによる激しい騒音を発生して使用に耐えられなくなるので、これを回避するために、一般的にはエアーエゼクタ１ｉを経路の前段に配置して空気を吸い込ませているが、本実施形態では、そのエアーエゼクタ１ｉの役割をパージガスの供給で代行させることもできる。
【００３４】
その後、圧力計１ｈで検出される真空容器１内の圧力が所定値（所定の負圧状態）になった時点で振動子７ｂを作動させると、超音波振動が振動板７ａを伝播して洗浄液５に与えられ、その洗浄液５中にキャビテーションが励起され、浸漬されている被洗浄物３の洗浄が行われる。この洗浄プロセスには、除菌プロセスが含まれている。すなわち、貯槽部６ａ底部に設けられた熱源であるヒータ６ｉにて洗浄液５を加熱し被洗浄物３を洗浄と除菌を同時に行うものである。その際、液位センサ６ｄにより、空焚きが防止される。
【００３５】
ところで、真空容器１内の残留気体の真空排気が充分に行われなかった場合、ヒータ６ｉにて洗浄液５を加温しても、残留気体が熱伝導を阻害し、充分な温度上昇が得られずに効果的な洗浄、除菌がなされない場合がある。これを防止するために、洗浄、除菌中に電磁弁１ｄを開閉し、一時的に真空排気を停止することを繰り返し、間欠的な真空排気をはさむことで、圧力変化率を大きく取り、残留気体と蒸気との置換の促進を図り、効率的な洗浄、除菌効果を得るようにしている。
【００３６】
次いで、被洗浄物３である医療器材の品温が８０〜１００℃に達し、１０分以上の時間が経過したら、被洗浄物３の加熱を終了し乾燥に移行する。その際、直接には被洗浄物３の品温の計測は困難なので、代用的に温度センサ６ｅの指示温度とその温度帯域の滞留時間とを判断して除菌プロセスの完了を判定する。
【００３７】
なお、超音波振動子ユニット７の内部空間７ｋは、パージガスで外部からの侵入は断たれているので、圧力容器１内に存するミスト状の洗浄液５がその内部空間７ｋ内に侵入することはない、仮に振動板７ａの欠損等で洗浄液５が内部空間７ｋ内に漏洩しても、排気口７ｉから強制的に排出される。
【００３８】
その後、真空乾燥に入るために、ヒータ６ｉの通電を遮断し、真空ポンプ１ｆに連結された真空排気配管１ｅ途上の電磁弁１ｄを閉じ、真空容器１への吸気経路７ｘ途上の電磁弁７ｍを開くことで真空容器１内を大気圧に戻す。次に、真空容器１下方に位置する電磁弁６ｊを開くことによって、溢液回収部６ｆから流出した洗浄液５あるいは貯槽部６ａ内の洗浄液５を外部に排出する。この際、ヒータ６ｉの余熱による温度上昇時の空焚き防止のインターロックとして、ヒータ６ｉへの通電遮断後の経過時間を条件に組み込み、その条件を満足していれば、そのまま排出継続とし、未了の場合は、一旦、電磁弁６ｊを閉じて所定の時間経過後改めて電磁弁６ｊを開き、洗浄液５を断続的に外部に排出する。
【００３９】
真空容器１下方には貯槽部６ａの容量に見合った容量の排水一時貯槽１８を備え、排水排熱回収槽１９と循環ポンプ２１で連結され熱交換器２０及びその配管の内部に封入された熱媒体により、排出される高温の洗浄液５からの熱回収を図っている。又、温熱回収は積極的に図るが、汚染の危険性を排除するため、洗浄液の再回収は原則行わない。更に、これら貯槽や配管、電磁弁、補機類の熱の授受を伴うものは不図示の断熱材などで熱遮蔽が図られている。
【００４０】
真空容器１の下方に溜まっている洗浄液５の排出がなされた後、電磁弁６ｊを閉じ、電磁弁１ｄを開け真空容器１の真空引きを開始すると、加温され除菌されていた被洗浄物３である医療器具に付着している洗浄液５は、被洗浄物３である医療器具から蒸発潜熱を奪いながら蒸発することで、乾燥が進行する。通常の滅菌装置では蒸気を使用するため滅菌後の冷却に時間を要し、必要なときにすぐに使用出来ない、耐熱手袋が必要、火傷の危険性があるなどの課題が指摘されている。これに対し本装置では、真空洗浄・除菌装置から取り出して直ちに次の作業に取り掛かれるという優位性がある。
【００４１】
被洗浄物３の乾燥が完了すると、真空排気配管１ｅの電磁弁１ｄを閉じる。次いで、ベント用ガス配管である吸気経路７ｘの電磁弁７ｍが開き、フィルタ７ｌを通過した大気を真空容器１内に導入し、真空容器１内の圧力を常圧に戻す。一連のプロセス終了時には表示、或いは音による終了発報を出す。最後に、真空容器１の蓋２を開き、洗浄、除菌、乾燥の完了した被洗浄物３である医療器具が入ったバスケット４を真空容器１から取り出す。
【００４２】
【発明の効果】
以上説明したように本発明によると、真空洗浄並びに除菌、乾燥、冷却迄の一連の処理が同一の装置で効率良く、かつ簡便に行え、しかも、低コストで得ることができる真空洗浄・除菌装置を提供することができる。
【図面の簡単な説明】
【図１】  本発明の真空超音波洗浄除菌装置全体の構成を示す図である。
【図２】  同上装置の真空容器周辺の構成を拡大して示す図である。
【符号の説明】
１    真空容器
１ａ  真空排気口
１ｂ  開口
１ｃ  フィルタ
１ｄ  電磁弁
１ｅ  真空排気配管
１ｆ  真空ポンプ
１ｇ  気液分離器
１ｈ  圧力計
１ｉ  エアーエゼクタ
１ｊ  安全弁
１ｋ  フィルタ
１ｌ  洗浄液供給配管
１ｍ  洗浄液用供給電磁弁
１ｎ  液位センサ
１ｏ  温度センサ
１ｐ  オーバーフロー配管
１ｑ  冷却用熱交換器
１ｒ  冷却源
２    真空容器の蓋
２ａ  基軸
３    被洗浄物
４    バスケット
５    洗浄液
６    洗浄槽
６ａ  貯槽部
６ｂ  底壁
６ｃ  堰である開口
６ｄ  液位センサ
６ｅ  温度センサ
６ｆ  溢液回収部
６ｇ  洗浄液供給口
６ｈ  開口
６ｉ  ヒータ
６ｊ  電磁弁
６ｋ  液位センサ
７    超音波振動子ユニット
７ａ  振動板
７ｂ  振動子
７ｃ  中央部
７ｄ  周縁部
７ｅ  カバー
７ｆ  吸気口
７ｇ  開口
７ｈ  逆止弁
７ｉ  排気口
７ｊ  充電部
７ｋ  内部空間
７ｘ  吸気経路
７ｌ  フィルタ
７ｍ  電磁弁
７ｎ  絞り弁
７ｏ  ベント用電磁弁
７ｐ  流量計
８    貯留容器
８ａ  フィルタ
８ｂ  エアー駆動弁
８ｃ  連通配管
１２  洗浄液調温槽
１３  給液配管
１４  加熱用熱源
１５  給液ポンプ
１６  フィルタ
１７  電磁弁
１８  排水一時貯槽
１９  排水排熱回収槽
２０  熱交換器
２１  循環ポンプ
【図１】
2005143513.tif 000003
【図２】
2005143513.tif 000004